(57)【要約】      （修正有）【課題】液体食品殘渣物の包装充填装置内部への累積付着を防ぎ、カッタナイフ及び包装容器の横シール部の切断部分を洗浄する包装充填装置を提供する。【解決手段】ウェブ状包装材料を連続的に供給し、チューブ状に成形し、チューブの縦線方向に縦シールし、チューブ状包装材料内に液体食品を液面レベルまで充填し、液面下でチューブ横断方向にシールジョー１０ａ及びカウンタージョー１１でチューブを挟んで横シールし、横シール帯域でカッタナイフ４２で切断して包装容器を製造する包装充填装置であって、カッタナイフ先端の一端４２ａから他端４２ｂに向けて洗浄水Ａを噴出する噴出ノズル４３を備える洗浄水供給装置と、カッタナイフ先端の他端４２ｂの近傍に設けられ、カッタナイフ先端の洗浄を終えた洗浄済水Ｂを吸引する吸引口４４を備える吸引装置とが配設される。【選択図】図１
2011051652.tif 000002
【特許請求の範囲】
【請求項１】
ウェブ状包装材料を連続的に供給し、チューブ状に成形し、該包装材料の両端部で重ね合わされた該チューブの縦線方向に縦シールし、垂直に下方に連続的に搬送される該チューブ状包装材料内に充填パイプから液体食品を、該充填パイプ出口上方の所定位置の液面レベルまで充填し、液面下でチューブ横断方向にシールジョー及びカウンタージョーで該チューブを挟んで引き下ろす間に横シールし、該チューブを同時に成形用フラップで挟んで予備成形し、横シール帯域でカッタナイフで切断して包装容器を製造する包装充填装置であって、
該カッタナイフ先端の一端から他端に向けて洗浄水を噴出する噴出ノズルを備える洗浄水供給装置と、
該カッタナイフ先端の他端の近傍に設けられ、該カッタナイフ先端の洗浄を終えた洗浄済水を吸引する吸引口を備える吸引装置とが配設される、
ことを特徴とする包装充填装置。
【請求項２】
該カウンタージョーに、該洗浄水供給装置の該噴出ノズルと該吸引装置の該吸引口とが配設される、請求項１記載の包装充填装置。
【請求項３】
該チューブ切断後に、該洗浄水供給装置が、該カッタナイフ先端の一端から他端に向けて洗浄水を該噴出ノズルから噴出し、該吸引装置が、該カッタナイフ先端の他端の近傍の該カウンタージョーに設けられ、該カッタナイフ先端の洗浄を終えた該洗浄済水を該吸引口で吸引する、請求項１記載の包装充填装置。
【発明の詳細な説明】
【技術分野】
【０００１】
この発明は、飲料などを充填して容器に包装する包装充填装置に関する。
【背景技術】
【０００２】
牛乳、ミネラルウォーター、茶、ジュース、スープ、アルコール類等の流動食品を収容する包装紙容器を製造する場合、ウェブ状（帯状）の包装積層材料が使用され、包装積層材料を連続的にヒートシール、超音波シール等によってシールされることにより、包装容器が形成される。例えば、包装充填装置において、包装積層材料をチューブ状に成形し、縦シール装置によって長手方向（縦方向）にシールした後、チューブの中に液体食品を充填しながら、液面下で横シール装置によって横方向にシールして切断し、枕状の予備成形容器を形成し、予備成形容器を更に最終形状に成形して包装容器を完成させる。
【０００３】
図４は、包装充填装置の一例を示す概略斜視図である。ウェブ状の包装積層材料１は、リールの状態で包装充填装置に装填される。包装積層材料１は、紙基材、及び該紙基材の両面にポリエチレン樹脂が積層された可撓性の積層体から成り、必要に応じて紙基材とフィルムとの間にアルミニウム箔、ガスバリヤ性樹脂等から成るバリヤ層が形成され、包装容器１４の表面に相当する部分にあらかじめ外装用の印刷が施される。
【０００４】
繰り出された包装積層材料１は、搬送手段の送り装置によって連続的に搬送され、ベンディングローラ、ダンパローラ等を経て、ストリップ接合装置３に送られ、ストリップ接合装置によって包装積層材料１の一方の縁部に沿ってストリップ２が連続的に接合される。
【０００５】
包装積層材料１は、必要に応じて、プルタブ接合装置によってプルタブが接合されている。包装積層材料１は、殺菌槽４に送られ、殺菌槽４において過酸化水素水等の殺菌液によって殺菌される。包装積層材料１は、エアカッタナイフ５に送られ、エアカッタナイフ５によって乾燥させられた後、チューブ状包装材料内に液体食品を無菌雰囲気で充填することを保証する無菌室４０の室内に送られる。包装積層材料１は、成形リング６、その他の成形リングによって徐々に変形させられてチューブ状の形状にされる。
【０００６】
チューブ状包装積層材料１は、縦シール装置の予熱手段８からのホットエアーによって予熱されて、縦方向にシールされ、充填パイプ７の下端から流動性食品がチューブ状包装積層材料１内に充填される。
チューブ状包装材料内に充填パイプから液体食品を所定の液面レベルまで充填する。
【０００７】
図４に示すように、チューブ状包装積層材料１は、下方に案内され、横シール装置１０に送られ、挟まれて横方向にシールされると共に、容器形状に成形され、横シールされた包装積層材料は、カッタナイフなどで切断されて枕状の予備成形容器１３が形成される。
【０００８】
図３に横シール装置１０の詳細一部断面図を示す。この態様では、液体食品が充填されたチューブ状包装材料１が、先ず、上側一対のシールジョー１０ａ及び対向ジョー１１により挟持される。包装容器１個分に相当する長さ分だけ下方に送られながら、上側一対の成形フラップ４１，４１により挟まれておおよその容器形状に成形される。横断方向に横シールして２本の横シール帯域を形成し、繋がった枕状予備成形体のシール帯域の中間をカッタナイフ４２により切断して個々の枕状予備成形体１３に切り離す。
図３に示すこの態様では、高速に、横シール、予備成形及び切断を行うために、二対のシールジョー及び対向ジョー、並びに、成形フラップを備え、横シール、予備成形及び切断ステップを終えた一対は、横に退避し上方に戻り、次の横シール、予備成形及び切断ステップを繰返す。
【０００９】
図４に示すように、予備成形容器１３は、最終成形搬送装置１５によって搬送されて最終の形状に成形され、流動性食品を収容する包装容器１４が完成する。
【先行技術文献】
【特許文献】
【００１０】
【特許文献１】特開平１０−１２９６０８号公報
【発明の概要】
【発明が解決しようとする課題】
【００１１】
上述の包装充填において、液面下で横シール部分を切断したときに、カッタナイフに液体食品が付着し、付着した液体食品が包装容器の横シール部の切断部分を汚してしまうことがある。
この課題に対して特許文献１の装置では、横シール部分を切断するカッタナイフの先端に洗浄媒体を供給する洗浄媒体供給手段を設け、カッタナイフによって横シール部分を切断したときに、洗浄媒体供給手段によって洗浄媒体を供給して、カッタナイフを直ちに洗浄する（参照：特許文献１）。
【００１２】
洗浄媒体供給手段をカッタナイフの内部若しくは隣接箇所に設け、洗浄水をカッタナイフ先端に流し、その先端に液体食品残留物が付着しているので、液体食品残留物と共に洗浄水が、横シール装置を中心に包装充填装置内部に飛散し、また、切断された予備成形容器の外表面にも付着する。
洗浄後に飛散した液体食品の量は、包装容器の横シール部の切断部分に付着した液体食品の量より、格段に微量である。しかし、長時間連続運転する場合、液体食品殘渣物の累積付着量が増大する。その液体食品殘渣物は衛生上好ましくはない。
本発明は、液体食品殘渣物の包装充填装置内部への累積付着を防ぎ、カッタナイフ及び包装容器の横シール部の切断部分を洗浄することができる包装充填装置を提供することを目的とする。
【課題を解決するための手段】
【００１３】
この課題を解決するこの発明の包装充填装置は、ウェブ状包装材料を連続的に供給し、チューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域でカッタナイフで切断して包装容器を製造する包装充填装置であって、
カッタナイフ先端の一端から他端に向けて洗浄水を噴出する噴出ノズルを備える洗浄水供給装置と、
カッタナイフ先端の他端の近傍に設けられ、カッタナイフ先端の洗浄を終えた洗浄済水を吸引する吸引口を備える吸引装置とが配設される、
ことを特徴とする。
【００１４】
この発明の好ましい態様において、カウンタージョーに、洗浄水供給装置の噴出ノズルと吸引装置の吸引口とが配設される。
【００１５】
この発明の別の好ましい態様において、チューブ切断後に、洗浄水供給装置が、カッタナイフ先端の一端から他端に向けて洗浄水を噴出ノズルから噴出し、吸引装置が、カッタナイフ先端の他端の近傍のカウンタージョーに設けられ、カッタナイフ先端の洗浄を終えた洗浄済水を吸引口で吸引する。
【発明の効果】
【００１６】
以上の本発明によれば、以下の作用機能を発揮し、有利な効果が得られる。
この発明における包装充填装置は、ウェブ状包装材料をチューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填する。
【００１７】
この発明における包装充填装置では、液面下でチューブ横断方向にシールジョー及びカウンタージョーでチューブを挟んで引き下ろす間に横シールし、チューブを同時に成形用フラップで挟んで予備成形し、横シール帯域で切断して包装容器を製造する。
液体食品が充填されたウェブ状包装材料の液面下で横シールされるので、容器内に不要な空気等が残らず、品質保持に寄与する。
【００１８】
この発明における包装充填装置は、液面下でチューブ横断方向にシールジョー及びカウンタージョーでチューブを挟んで引き下ろす間に横シールし、チューブを同時に成形用フラップで挟んで予備成形し、横シール帯域でカッタナイフで切断する。
この発明の特徴に於いて、カッタナイフ先端の一端から他端に向けて洗浄水を噴出する噴出ノズルを備える洗浄水供給装置が配設される。
液面下で横シールし、横シール帯域でカッタナイフで切断するので、切断後に切り口及びカッタナイフに液体食品残留物が付着する恐れがある。洗浄水供給装置の噴出ノズルが、カッタナイフ先端の一端から他端に向けて洗浄水を噴出する。洗浄水が、切り口やナイフに付着する液体食品残留物を、切り口やナイフから引き離し巻込みながら、カッタナイフ先端の一端から他端に流れる。切り口やナイフを的確に洗浄することができる。
コヒーレントな噴流であれば、正確に一方的に流すことができる。
【００１９】
この発明の特徴に於いて、カッタナイフ先端の他端の近傍に設けられ、カッタナイフ先端の洗浄を終えた洗浄済水を吸引する吸引口を備える吸引装置が配設される。
洗浄済水には、洗浄水に巻込まれた液体食品残留物や、細かい紙断片、紙粉などが含まれることもある。この洗浄済水は、カッタナイフ先端の一端から他端に、概ね一方的な流れとなって流される。
洗浄済水は、カッタナイフ先端の他端に到達すると、カッタナイフ先端の他端の近傍に設けられた吸引口に吸引され、概ね洗浄済水は、吸引口へ流れる。
容器の切断面に付着した液体食品の大部分は、吸引口に集められ回収される。長時間連続運転する場合であっても、液体食品殘渣物の累積付着量を低減し、衛生的な包装充填装置とすることができる。
【００２０】
この発明の好ましい態様において、カウンタージョーに、洗浄水供給装置の噴出ノズルと吸引装置の吸引口とが配設される。
カウンタージョーに、噴出ノズルと吸引口とが内蔵されるので、コンパクトに装置及び機能を集約することができる。
【００２１】
この発明の別の好ましい態様において、チューブ切断後に、洗浄水供給装置が、カッタナイフ先端の一端から他端に向けて洗浄水を噴出ノズルから噴出し、吸引装置が、カッタナイフ先端の他端の近傍のカウンタージョーに設けられ、カッタナイフ先端の洗浄を終えた洗浄済水を吸引口で吸引する。
ノズルからの噴流の噴出は、離れた位置から対象物へ当てることができるので、カッタナイフ先端の一端から他端に向けて噴出できる箇所に噴出ノズルを設置し、比較的に離れた位置から吸引できないので、カッタナイフ先端の他端の近傍のカウンタージョーに吸引口が設けられる。
【００２２】
上述のように、本発明によって、液体食品殘渣物の包装充填装置内部への累積付着を防ぎ、カッタナイフ及び包装容器の横シール部の切断部分を洗浄することができる。
【図面の簡単な説明】
【００２３】
【図１】この発明による包装充填装置の洗浄水供給装置及び吸引装置の動作を概略的に説明する上方から見た断面図である。
【図２】この発明による包装充填装置のカウンタージョーと、カウンタージョー内を前進後退可能に配設されたカッタナイフを概略的に説明する斜視図である。
【図３】包装充填装置の横シール装置を説明する断面正面図である。
【図４】この発明に使用できる包装充填装置の一例を示す概略斜視図である。
【発明を実施するための形態】
【００２４】
以下、本発明の実施の形態について図面を参照しながら詳細に説明する。
この実施形態による包装充填装置は、図４に示すように、ウェブ状包装材料１をチューブ状に成形し、包装材料の両端部でチューブの縦線方向に縦シールし、垂直に下方に搬送されるチューブ状包装材料内に充填パイプ７から液体食品を無菌室４０内で、充填パイプ出口上方の所定位置の液面レベルまで充填し、図３に示すように、液面下でチューブ横断方向にシールジョー１０ａ及びカウンタージョー１１でチューブ１を挟んで引き下ろす間に横シールし、チューブを同時に成形用フラップ４１、４１で挟んで予備成形し、横シール帯域でカッタナイフ４２で切断して予備包装容器１３を得、最終成形装置１５で製品の液体食品充填容器１４を製造する。
【００２５】
図１及び図２に図示する洗浄水供給装置例（水源、ポンプ等図示せず）の噴出ノズル４３は、カッタナイフ先端４２ａの一端から他端に向けて洗浄水を噴出する。
液面下でカッタナイフ４２で切断するので、切断後に切り口及びカッタナイフに液体食品残留物が多少付着する。洗浄水が、付着する液体食品残留物を、切り口やナイフから引き離し巻込みながら、カッタナイフ先端の一端から他端に流れる。切り口やナイフを的確に洗浄することができる。
コヒーレントな噴流であれば、正確に一方的に流すことができる。
洗浄水Ａには、単なる水道水、界面活性剤、殺菌剤を含む洗浄水などがある。
【００２６】
図１及び図２に図示する吸引装置例（回収タンク、ポンプ等図示せず）に於いて、カッタナイフ先端の他端４２ｂの近傍に設けられ、カッタナイフ先端４２の洗浄を終えた洗浄済水Ｂを吸引する吸引口４４を備える。
洗浄済水Ｂには、通常、洗浄水に巻込まれた液体食品残留物や、細かい紙断片、紙粉、機械の潤滑油などが含まれる。この洗浄済水Ｂは、カッタナイフ先端の一端４２ａから他端４２ｂに、概ね一方的な流れとなって流される。
洗浄済水Ｂは、カッタナイフ先端の他端４２ｂに到達すると、カッタナイフ先端の他端４２ｂの近傍に設けられた吸引口４４に吸引され、洗浄済水Ｂは、吸引口４４から回収タンクなどへ集められる。
容器の切断面に付着した液体食品は、吸引口４４に集められ回収され、液体食品殘渣物の累積付着量を低減し、衛生的な包装充填装置となる。
【００２７】
図１及び図２に図示する態様において、カウンタージョー１１に、洗浄水供給装置の噴出ノズル４３と吸引装置の吸引口４４とが配設される。
カウンタージョーに、噴出ノズル（導通路を含む）と吸引口（ドレイン管を含む）とが内蔵されるので、装置をコンパクトにする。
図２に図示するカッタナイフ４２は、後方に分解した状態及び２本のカウンタージョー１１の間の間隙よりカッタナイフ４２の先端が覗く状態を示す。
上記の態様において、洗浄水の供給時間は、チューブ切断後、チューブ切断前後、チューブ切断前、連続の時間帯などであるが、好ましくは、チューブ切断後である。
【００２８】
別の態様において、チューブ切断後に、カッタナイフ先端の一端から他端に向けて噴出できる離れた位置の箇所に噴出ノズルを設置し、カッタナイフ先端の他端の近傍のカウンタージョーに吸引口が設けられ、効果的に且つ経済的に運転することができる。
【００２９】
上記の様に実証される本発明は、液体食品殘渣物の包装充填装置内部への累積付着を防ぎ、カッタナイフ及び包装容器の横シール部の切断部分を洗浄する。
【００３０】
なお、本発明は前記実施の形態に限定されるものではなく、本発明の趣旨に基づいて種々変形させることが可能であり、それらを本発明の範囲から排除するものではない。
【産業上の利用可能性】
【００３１】
この発明は、液体食品などを包装充填する包装容器の製造に適用することができる。
【符号の説明】
【００３２】
１・・・  チューブ状包装材料
７・・・  充填パイプ
１０ａ・・・  シールジョー
１１・・・  カウンタージョー
１３・・・  予備成形容器
２２・・・  横シール帯域
４２・・・  カッタナイフ
４３・・・  噴出ノズル
４４・・・  吸引口
Ａ・・・  洗浄水
B・・・  洗浄済水
【図１】
2011051652.tif 000003
【図２】
2011051652.tif 000004
【図３】
2011051652.tif 000005
【図４】
2011051652.tif 000006